(57)【要約】【課題】  家庭用電気機器や産業電気機器等の開発時に、これら電気機器の監視および制御を行うためのソフトウェアの検討を実機を使用することなく実現することのできる負荷監視制御装置のソフトウェア開発装置を提供する。【解決手段】  制御対象負荷を接続する監視制御端末１５と、これに制御ＬＡＮを介して接続される操作端末１２とを連携させて、前記操作端末１２上で前記制御対象負荷を監視制御する負荷監視制御システムにおいて、監視制御端末１５に具備されて、前記制御対象負荷に係る仮想データを書き込む第１の電子ファイル１８と、第１の電子ファイル１８から前記仮想データを取出し処理するデータ取出部２３と、前記仮想データの操作端末１２への送信と操作端末１２で入力した制御データの監視制御端末１５への送信を行う通信部１６と、監視制御端末１５で受信した前記制御データを書き込む第２の電子ファイル１９と、第２の電子ファイル１９に前記制御データを書込み処理するデータ書込部２４を備えて構成した。【選択図】        図１
2005215812.tif 000002
【特許請求の範囲】
【請求項１】
制御対象負荷を接続する監視制御端末と、これに制御ＬＡＮ等によって接続される操作端末とを連携させて、前記操作端末上で前記制御対象負荷を監視制御する負荷監視制御システムにおいて、前記監視制御端末に具備されて、前記制御対象負荷に係る仮想データを書き込む第１の電子ファイルと、第１の電子ファイルから前記仮想データを取出し処理するデータ取出部と、前記仮想データの前記操作端末への送信と前記操作端末で入力した制御データの前記監視制御端末への送信を行う通信部と、前記監視制御端末で受信した前記制御データを書き込む第２の電子ファイルと、該第２の電子ファイルに前記制御データを書込み処理するデータ書込部を備えて構成したことを特徴とする負荷監視制御システムのソフトウェア開発装置。
【請求項２】
前記通信部は、前記操作端末と監視制御端末間で各種データの配信を行う前記操作端末上のＷｅｂブラウザと、前記監視制御端末上のＷｅｂサーバプログラムおよびＣＧＩプログラムと前記操作端末上に表示する監視，制御画面の対話処理プログラムを具備して構成したことを特徴とする請求項１記載の負荷監視制御システムのソフトウェア開発装置。
【請求項３】
前記第１，２の電子ファイルは、ＣＳＶ形式等のテキストファイルであることを特徴とする請求項１，２記載の負荷監視制御システムのソフトウェア開発装置。
【請求項４】
前記データ取出部およびデータ書込部は、データの取出し／書込みを実行処理するルーチンプログラムの修正および消去と再書き込みが可能な記憶装置を具備して構成したことを特徴とする請求項１ないし３記載の負荷監視制御システムのソフトウェア開発装置。
【請求項５】
前記通信部は、前記ＣＧＩプログラムと対話処理プログラムの修正および消去と再書き込みが可能な記憶装置を具備して構成したことを特徴とする請求項２ないし４記載の負荷監視制御システムのソフトウェア開発装置。
【発明の詳細な説明】
【技術分野】
【０００１】
本発明は、家庭用電化製品や産業電気機器等の開発時に、これら電気機器の監視，制御を行うソフトウェアの検討を実機を使用することなく実行することのできる負荷監視制御システムのソフトウェア開発装置に関する。
【背景技術】
【０００２】
従来から、家庭用電気機器や電気製品等に使用されるソフトウェア（以下、単にソフトという）を前記機器および製品の開発時において実機を使用して検討する、所謂、ソフトウェア開発装置は存在する（特許文献１参照）。
【０００３】
前記特許文献１記載のソフトウェア開発装置によれば、同公報記載の図２に示すように、情報入力用のパソコン１と制御手段としてのマイコン２およびパソコン１と実機１０とを接続するケーブル６を備え、かつ、前記マイコン２は、同公報記載の図１に示すように、パソコン１からの入力信号（情報）をＦｌａｓｈ−ＥＥＰＲＯＭ（Electrically Erasable Programmable Read Only Memory）３への書き込みに適した信号に変換すると共に、Ｆｌａｓｈ−ＥＥＰＲＯＭ３内の信号を前記パソコン１での処理に適する信号に変換する入出力制御部４と、固定記憶装置としてのＦｌａｓｈ−ＥＥＰＲＯＭ３と、このＦｌａｓｈ−ＥＥＰＲＯＭ３に格納されている情報（プログラム）に従って動作する制御部５とを備えて構成されている。
【０００４】
そして、前記ソフトウェアの開発を行う場合は、先ず、前記パソコン１と実機１０とをケーブル６で接続し、実機１０のＩＣソケットにマイコン２をセットし、パソコン１にて作成したソフトをマイコン２のＦｌａｓｈ−ＥＥＰＲＯＭ３に書き込む。
【０００５】
そして、マイコン２のＦｌａｓｈ−ＥＥＰＲＯＭ３にパソコン１で作成したソフトが書き込まれた後、実機（例えば、家庭用電気製品）１０を作動させる。このとき、マイコン２の制御部５は、Ｆｌａｓｈ−ＥＥＰＲＯＭ３に格納されている情報を読み出し、この情報に従って実機１０の動作を制御する。
【０００６】
ソフト開発者は、この実機１０の動作状態をチェックすることによりソフトの評価検討を行う。また、この後、上記ソフトを書き換えようとする場合には、マイコン２を実機１０のＩＣソケット１１に指し込んだままの状態で、パソコン１と実機１０とをケーブル６で接続し、マイコン２のＦｌａｓｈ−ＥＥＰＲＯＭ３に現在書き込まれているソフトを消去する。そして、Ｆｌａｓｈ−ＥＥＰＲＯＭ３内のデータが全消去された後、続いてパソコン１にて新たに作成したソフトをＦｌａｓｈ−ＥＥＰＲＯＭ３に書き込む。
【０００７】
ソフト開発者は、上記のようなソフトの書き換えを繰り返しながらソフトの開発を進めていく。つまり、上記ソフトウェア開発装置によれば、マイコン２を実機１０のＩＣソケット１１に取り付けた状態で、Ｆｌａｓｈ−ＥＥＰＲＯＭ３への情報の書き込みおよび消去を行うことができるので、手間のかかる作業を必要とせず、ソフト開発期間の短縮が実現できる。
【特許文献１】特開平５−２７９６４号公報
【発明の開示】
【発明が解決しようとする課題】
【０００８】
然るに、前記ソフトウェア開発装置は、マイコン２に接続した実機１０を実際に作動させて、この実機１０の動作状態をチェックすることによりソフトウェアの評価検討を行う構成であるので、マイコン２に接続する実機１０の存在が必要不可欠であり、制御対象である実機（家庭用電気製品等）１０の開発完了を待たなければソフトウェアの開発をすることができず、開発の効率低下を招く問題が生じていた。
【０００９】
また、近年、パソコン１と遠隔に存在するマイコン２とをＬＡＮ（Local Area Network）等の通信ケーブルにて接続し、サーバ機能を備えたマイコン２に接続した負荷（電気機器等）を、Ｗｅｂブラウザ機能を利用してパソコン１によって遠隔より監視・制御する負荷監視制御システムが存在するが、この負荷監視制御システムを構成するマイコン２に格納する制御ソフトウェアの開発時においても、前記ソフトウェアの開発手法を利用する限り、同様の問題が発生することは当然であり、解決すべき課題であった。
【００１０】
本発明は、前記問題点に鑑み、Ｗｅｂサーバ機能を有する端末に実機を取り付けることなく、負荷の制御ソフトウェアの開発を可能とした、負荷監視制御システムのソフトウェア開発装置を提供する。
【課題を解決するための手段】
【００１１】
第１の局面によれば、制御対象負荷を接続する監視制御端末と、これに制御ＬＡＮ等によって接続される操作端末とを連携させて、前記操作端末上で前記制御対象負荷を監視制御する負荷監視制御システムにおいて、前記監視制御端末に具備されて、前記制御対象負荷に係る仮想データを書き込む第１の電子ファイルと、第１の電子ファイルから前記仮想データを取出し処理するデータ取出部と、前記仮想データの前記操作端末への送信と前記操作端末で入力した制御データの前記監視制御端末への送信を行う通信部と、前記監視制御端末で受信した前記制御データを書き込む第２の電子ファイルと、該第２の電子ファイルに前記制御データを書込み処理するデータ書込部を備えて構成した。
【００１２】
第２の局面によれば、第１の局面において、前記通信部は、前記操作端末と監視制御端末間で各種データの配信を行う前記操作端末上のＷｅｂブラウザと、前記監視制御端末上のＷｅｂサーバプログラムおよびＣＧＩプログラムと前記操作端末上に表示する監視，制御画面の対話処理プログラムを具備して構成した。
【００１３】
第３の局面によれば、第１，２の局面において、前記第１，２の電子ファイルは、ＣＳＶ形式等のテキストファイルによって構成した。
【００１４】
第４の局面によれば、第１ないし第３の局面において、前記データ取出部およびデータ書込部は、データの取出し／書込みを実行処理するルーチンプログラムの修正および消去と再書き込みが可能な記憶装置を具備して構成した。
【００１５】
第５の局面によれば、第２ないし第４の局面において、前記通信部は、前記ＣＧＩプログラムと対話処理プログラムの修正および消去と再書き込みが可能な記憶装置を具備して構成した。
【発明の効果】
【００１６】
請求項１記載の発明によれば、制御ＬＡＮ等を介して接続された操作端末と監視制御端末の連携によって、監視制御端末に接続される負荷の監視，制御を行う負荷監視制御システムにおいて、前記監視制御端末に設けた第１の電子ファイルに制御対象となる負荷に係る仮想データを予め書き込むことにより、前記操作端末では、監視制御端末上にある前記仮想データをデータ取出部および通信部を介して自由に取得することができる。操作者は、この仮想データに基づいて、前記制御対象負荷の仮想制御データを操作端末より入力することによって、これを監視制御端末に送信して、データ書込部によって前記監視制御端末に備えた第２の電子ファイルに前記仮想制御データを書き込むことができる。つまり、前記監視制御端末に実機を接続することなく負荷の監視制御動作を行うソフトウェアの評価検討を実現することができるので、実機の開発が完了していない場合など、実機の開発完了を待つことなく、前記ソフトウェアの開発を高率的に進めることができ、非常に便利である。
【００１７】
請求項２記載の発明によれば、前記通信部として、操作端末上のＷｅｂブラウザと、監視制御端末上のＷｅｂサーバプログラムおよびＣＧＩプログラムと対話処理プログラムを具備して構成したので、前記対話処理プログラムを起動させて操作端末上に表示させることにより、操作者は、前記操作端末から制御ＬＡＮ等を介して監視制御端末に接続が想定される制御対象負荷の監視，制御プログラムの検討評価を簡単，確実に実行することができ、利便である。
【００１８】
請求項３記載の発明によれば、制御対象負荷に係る仮想データを監視制御端末に具備したテキスト形式の第１，２の電子ファイルに書込む構成であるので、前記監視制御端末を、専用の組込機器を用いることなく、汎用のパーソナルコンピュータによって構成することが可能となり、製品開発コスト抑制に貢献することができる。
【００１９】
請求項４記載の発明によれば、第１の電子ファイルに書き込んだ制御対象負荷の仮想データを前記第１の電子ファイルから取出し処理するルーチンプログラムと、前記操作端末から監視制御端末に送信した制御対象負荷の仮想制御データを第２の電子ファイルに書込み処理するルーチンプログラムを、修正，消去，再書き込みが可能な記憶装置に記憶させることによって、制御対象負荷の監視制御を行うソフトウェアの評価検討の結果、前記ソフトウェアに何らかの不具合が発見された場合、若しくは、前記ソフトウェアに新しい機能を追加したい場合、または、前記ソフトウェアから不要なプログラム部分を消去したい場合など、随時、前記記憶装置に一旦記憶させたソフトウェアの修正等を実行することができ、制御対象負荷の監視制御に最適なソフトウェアの構築を容易に実現することができる。
【００２０】
請求項５記載の発明によれば、通信部に格納するＣＧＩプログラムと対話処理プログラムを修正，消去，再書き込みが可能な記憶装置に記憶させることによって、請求項４記載の発明と同様に、制御対象負荷の監視制御を行うソフトウェアを逐一最適な状態に修正しつつ、良好な通信状態を持続して制御対象負荷の管理が可能なプログラムを作成することができ、便利である。
【実施例】
【００２１】
以下、本発明の実施の形態を図１ないし図３により説明する。図１は、本発明の負荷監視制御システムのソフトウェア開発装置Ａを示すブロック構成図であり、図１において、１２は、操作者１３が操作可能なクライアントシステム（操作端末）を示しており、汎用のパーソナルコンピュータ（以下、単にパソコンという）から構成されている。
【００２２】
１４は、前記操作端末１２にインストールされたＷｅｂブラウザであり、操作者１３が操作端末１２の入力手段（キーボードやマウス等）を操作して入力した情報を制御ＬＡＮ等の通信ケーブルを通してＷｅｂサーバシステムを構築する監視制御端末１５に送信している。
【００２３】
前記監視制御端末１５は、操作端末１２同様、汎用のパソコンから構成されるものであり、クライアントシステムとしての前記操作端末１２との通信を行う通信部１６と、各種データの取出し／書き込みを処理するデータ処理部１７と、制御対象負荷の監視と制御の評価検討時に使用される一対の電子ファイル１８，１９から構成されている。
【００２４】
前記通信部１６は、操作端末１２との間でデータの配信を行うＷｅｂサーバプログラムを記憶するＲＯＭ（Read Only Memory）を備えた第１の記憶部２０と、操作者１３による前記操作端末１２の入力操作に応じて、前記Ｗｅｂサーバプログラムが他のアプリケーション（ブラウザ１４等）と通信を行うためのＣＧＩプログラムを記憶するＲＡＭ（Random Access Memory）からなる第２の記憶部２１と、前記操作者１３の要求に応じて、操作端末１２のディスプレイ上に制御対象負荷の監視，制御画面を表示させる対話処理プログラムの記憶するＲＡＭからなる第３の記憶部２２から構成されている。
【００２５】
前記データ処理部１７は、前記一対の電子ファイル１８，１９のうち一方の電子ファイル１６から要求されたデータを取り出し、前記ＣＧＩプログラムに送る取出しルーチンプログラムを記憶するＲＡＭからなる第４の記憶部２３と、他方の電子ファイル１９に前記ＣＧＩプログラムから送られたデータを書き込む書込みルーチンプログラムを記憶するＲＡＭからなる第５の記憶部２４を備えて構成されている。
【００２６】
また、前記一対の電子ファイル１８，１９は、共にＣＳＶ形式等のテキストファイルからなる電子ファイルとし、操作者２５が、制御対象負荷の状態情報を仮想データとして書き込む第１の電子ファイル１６と、操作者１３が操作端末１２を操作することによって入力処理した制御対象負荷の仮想制御用データを書き込む第２の電子ファイル１９を備えている。
【００２７】
以上のように構成された負荷監視制御システムのソフトウェア開発装置Ａにおいて制御対象負荷を監視制御するソフトウェアを開発する場合の作業は、図２に示すフローチャートにしたがって実行される。つまり、汎用のパソコンにブラウザとＷｅｂサーバプログラムを不揮発性メモリ（ＲＯＭ）に記憶させて構成した操作端末１２と監視制御装置１５を制御ＬＡＮを使用して、図１に示すように相互に通信可能な状態に接続したら、つづいて、図２のステップＳ１に示す検出対象の決定を行う。
【００２８】
これは、監視制御端末１５に接続が想定される制御対象負荷が電動機である場合、電動機の回転数や電圧値，電流値等、種々の状態情報データのうち、何れのデータを検出することによって、電動機（制御対象負荷）の状態を検知するのかを決定する。
【００２９】
前記検出対象が決定したら、次にステップＳ２に移行して前記電子ファイル１８，１９のフォーマット形式を決定する。第１，２の電子ファイル１８，１９のフォーマット形式としては、例えば、ＣＳＶ形式等を採用して、テキストファイルとして第１，２の電子ファイル１８，１９を構成することとする。
【００３０】
そして、ステップＳ３において、第１の電子ファイル１８に書き込まれた制御対象負荷の仮想データ（変数）を取出すルーチンプログラムを作成して、図１に示すデータ処理部１７に具備する揮発性メモリ（第４の記憶部２３）に記憶する。これと同様に、ステップＳ４において、操作者１３が操作端末１２から入力操作した制御対象負荷の仮想制御データ（変数）を第２の電子ファイル１９に書き込む書込みルーチンプログラムを作成し、前記データ処理部１７の揮発性メモリ（第５の記憶部２４）に記憶する。
【００３１】
さらに、ステップＳ６において、操作端末１２のディスプレイ上に制御対象負荷の監視，制御画面を表示させる対話処理プログラムを作成して、通信部１６の揮発性メモリ（第３の記憶部２２）に記憶する。
【００３２】
このようにして制御対象負荷の監視，制御に必要とされる各種プログラムを記憶部２０〜２４に記憶させたら、ステップＳ７に移行して、監視制御ソフトウェアの動作シミュレーションを図３に示すフローチャートにしたがって実行する。
【００３３】
つまり、前記監視制御ソフトウェアのシミュレーションは、図３のステップＳ１１において、先ず、操作者２５が監視制御装置１５の入力手段（キーボードやマウス等）を操作して、第１の電子ファイル１６に図２に示すステップＳ１にて決定した制御対象負荷の状態情報を示すデータを仮想データ（変数）として書き込む。
【００３４】
次に、ステップＳ１２において、操作者１３が操作端末１２の図示しない入力手段（キーボードやマウス等）によって、通信部１６の第３の記憶部２２に図２に示すステップＳ６にて記憶させた対話処理プログラムをブラウザおよびＷｅｂサーバプログラムを利用して、制御ＬＡＮを介して操作端末１２のディスプレイ上に呼び出す。
【００３５】
これにより、前記操作端末１２のディスプレイ上には制御対象負荷の監視，制御画面が表示され、操作者１３は、この監視，制御画面を利用した対話的処理にしたがって、検出したい制御対象負荷の状態情報を要求する旨の入力操作を実行する。
【００３６】
前記操作端末１２より状態情報の要求指示が入力されると、この要求指示は制御ＬＡＮを通って監視制御端末１４の通信部１６に送信され、第１の記憶部２０に記憶されたＷｅｂサーバプログラムに送られる。
【００３７】
前記Ｗｅｂサーバプログラムに前記要求指示が伝えられると、Ｗｅｂサーバプログラムは、データ処理部１７の第４の記憶部２３に記憶した取出しルーチンプログラムを起動して、第１の電子ファイル１８にステップＳ１１にて書き込んだ仮想データの取出し処理を実行する（ステップＳ１４）。
【００３８】
前記取出しルーチンプログラムによって、第１の電子ファイル１８から取り出された仮想データは、通信部１６の第２の記憶部２１に記憶されたＣＧＩプログラムに送られた後、当該ＣＧＩプログラムによって第１の記憶部２０に記憶されたＷｅｂサーバプログラムに返される。
【００３９】
これにより、前記仮想データは、制御ＬＡＮを介して操作者１３が入力した要求指示に対する返答として操作端末１２に送信されて（ステップＳ１５）、操作端末１２のディスプレイ上に表示された監視，制御画面に表示される。この結果、操作者１３は、監視，制御画面に表示された制御対象負荷の状態情報を確認することにより、所望する情報を取得することができる（ステップＳ１６）。
【００４０】
そして、操作端末１２のディスプレイ上にて制御対象負荷の情報を取得した操作者１３は、この情報に基づいて制御対象負荷に対する制御の必要性を感じた場合（ステップＳ１７）は、前記監視，制御画面の対話的処理によって、制御対象負荷の制御信号（仮想）を入力する（ステップＳ１８）。
【００４１】
前記操作端末１２において制御対象負荷の仮想制御信号が入力されると、この制御信号は、ステップＳ１９において、制御ＬＡＮを介して監視制御端末１５の通信部１６に具備したＷｅｂサーバプログラムに送られる。
【００４２】
前記仮想制御信号が第１の記憶部２０に記憶されたＷｅｂサーバプログラムに送られると、データ処理部１７の第５の記憶部２４に記憶された書込みルーチンプログラムが起動して、第２の電子ファイル１９に前記仮想制御データ（変数）が書き込まれる（ステップＳ２０）。
【００４３】
一方、前記ステップＳ１７において操作端末１２から監視制御端末１５に制御対象負荷に対する仮想制御信号を送信する必要のない場合は、当該シミュレーション動作は終了する。
【００４４】
そして、前記ステップＳ２０において、第２の電子ファイル１９に仮想制御データが書き込まれた場合、ステップＳ２１に移行して、操作者２５は、第２の電子ファイル１９に前記仮想制御データが適切に書き込み処理されたかどうかの確認を行って、図２のステップＳ７に示すシミュレーションを終了する。
【００４５】
すなわち、操作者２５が予め第１の電子ファイル１８に書き込んだ仮想の負荷情報を、操作者１３が操作端末１２から情報取得のリクエストを監視制御端末１５に送信することにより、必要とする制御対象負荷の状態情報を取得し、この状態情報に基づいて、制御対象負荷の仮想制御信号を操作端末１２から制御ＬＡＮを通して監視制御端末１５に送信することにより、監視制御端末１５に備えた第２の電子ファイル１９に書き込むまでに至る負荷監視制御システムの監視制御プログラムの動作シミュレーションを実行することができる。
【００４６】
前記監視制御ソフトウェアのシミュレーションの実行後は、この結果を、図２に示すステップＳ８において評価検討し、シミュレーションにプログラムの不具合等、何らかの問題点が発見された場合は、再び、ステップＳ３まで戻って、各種プログラム（取出し／書込みルーチンプログラム，ＣＧＩプログラム）の修正，再作成を行った後、前述と同様の動作を繰り返し行う。
【００４７】
また、前記ステップＳ９において、監視制御プログラムに何等の不具合も発見されなかった場合は、ステップＳ１０に移行して、前記監視制御プログラムへの追加機能の有無を判断する。その結果、追加したい機能があれば、ステップＳ３に戻って、前記ルーチンプログラムやＣＧＩプログラムに新たに必要となるプログラムを追加する。さらに、前記ステップＳ１０において、追加すべき機能が無い場合は、本発明に係るソフトウェア開発作業を終了する。
【００４８】
そして、前記ソフトウェアの開発作業が終了した後は、監視制御端末１５を使用して第１の電子ファイル１８に書き込んだ仮想データ（変数）を取出し処理する第４の記憶部２３に記憶させた取出しルーチンプログラムと、前記仮想制御データ（変数）を第２の電子ファイル１９に書込み処理する第５の記憶部２４に記憶させた書込みルーチンプログラムを前記第４，５の記憶部２３，２４から削除することにより、電化製品等の実機を監視制御端末１５に接続してこれを監視制御する状態に移行する。
【００４９】
また、通信部１６とデータ処理部１７に格納した各種プログラムは、不揮発性メモリである第２〜５の記憶部２１〜２４から図示しない揮発性メモリ（ＲＯＭ）に書き直すことによって、各種プログラムの書換不可状態と電源切断時のプログラム消去防止の措置を図ることは当然である。
【００５０】
以上説明したように、本発明のソフトウェア開発装置Ａは、実機（家庭用電化製品等）を接続して負荷監視制御システムの監視制御ソフトウェアの動作シミュレーションを行う必要は一切なく、接続が想定される負荷に関する状態情報を一対の電子ファイル１８，１９を利用して取出し／書き込みすることによって、前記ソフトウェアの動作シミュレーションを実行することができるので、実機（電化製品等）の開発完了を待つことなく、制御対象負荷の監視制御プログラムを作成することができる。
【００５１】
また、前記電子ファイル１８，１９にＣＳＶ形式等のテキストファイルを使用することによって、監視制御端末１５は汎用のパソコンから構成することが可能となり、専用の組込機器を使用する場合と比較して製品コストを確実に抑制することが可能となる。
【００５２】
さらに、制御対象負荷の監視制御プログラムのうち、監視制御ソフトウェアの動作シミュレーション時のみ必要なプログラム部分は、実機（電化製品等）の監視制御を行う実使用時に先だって簡単に削除することでき、また、前記ソフトウェアに追加すべきプログラム部分が存在する場合は、容易に前記監視制御プログラムを修正等することが可能であり、利便である。
【産業上の利用可能性】
【００５３】
本発明によれば、制御対象負荷の監視制御を行う監視制御端末において、実際に負荷の状態情報を検出することなく、第１の電子ファイルに負荷の状態情報を仮想的に書き込み、操作端末から送信したリクエストの返答として、この負荷情報を読み出し取得することによって必要な情報を取得するシミュレーションを可能とし、かつ、前記取得した情報に基づき、負荷の制御指令を前記操作端末から監視制御端末へ送信して、第２の電子ファイルに書き込むことによって、負荷の制御信号の送信シミュレーションが可能となる。つまり、実機の開発完了を待たずに、効率的な監視，制御プログラムのシミュレーションを可能とした負荷監視制御システムのソフトウェア開発装置を実現した。
【図面の簡単な説明】
【００５４】
【図１】本発明の負荷監視制御システムのソフトウェア開発装置を示すブロック図である。
【図２】前記開発装置の処理動作を説明するフローチャート図である。
【図３】前記開発装置の処理動作におけるソフトウェアのシミュレーションを説明するフローチャート図である。
【符号の説明】
【００５５】
１２  操作端末
１３  操作者
１４  ブラウザ
１５  監視制御端末
１６  通信部
１７  データ処理部
１８  第１の電子ファイル
１９  第２の電子ファイル
２０〜２４  第１〜５の記憶部
２５  操作者
Ａ  負荷監視制御システム
【図１】
2005215812.tif 000003
【図２】
2005215812.tif 000004
【図３】
2005215812.tif 000005